(57)【特許請求の範囲】
【請求項１】
たばこ製品を収容するためのたばこ用容器であって、
両端壁に円形の開口をそれぞれ有するとともに、内部を２つの収容室に区画する区画壁を有し、各収容室が対応する開口を通じて開かれている円筒形状の容器本体と、
前記開口のそれぞれに取り外し可能に嵌合され、前記開口を閉塞する一方、前記容器本体の軸線回りに回転自在な２つの円形の蓋と、
前記開口に前記蓋がそれぞれ嵌合された状態にあるとき、前記開口と前記蓋との間にそれぞれ介在して前記収容室を密封する２つの弾性シール部材と、
前記容器本体に対して前記蓋が第１回転角位置にあるときには前記蓋の嵌合及び取り外しを許容し、前記蓋が前記第１回転角位置とは異なる第２回転角位置にあるときには前記蓋の取り外しを阻止する２つのロック装置と
を備え、
前記ロック装置は、前記蓋に設けられ、前記蓋の外周から突出する突出部と、前記容器本体に設けられ、前記突出部を案内するためのガイド溝とを含み、
前記ガイド溝は、前記開口の周縁に形成され、前記第１回転角位置にある前記蓋の前記突出部を受け入れ可能なアウタ切欠と、前記開口の内周面に形成され、前記アウタ切欠から前記開口の周方向に延び且つ前記第１回転角位置と前記第２回転角位置との間にて前記蓋が回転されるとき前記突出部を案内するインナ溝とを有し、
前記蓋はその外面に前記突出部を一体に有する取手を含み、
前記容器本体は、前記開口の内周面に前記インナ溝よりも前記収容室側に位置し且つ前記開口内に向けて突出するインナフランジを有し、
前記弾性シール部材は、前記蓋が前記開口に嵌合された状態にあるとき、前記蓋の内面と前記インナフランジとの間に挟み込まれるＯリングであり、
前記蓋が前記第２回転角位置にあるとき、前記第２回転角位置から前記第１回転角位置への前記蓋の回転を阻止するためのストッパ装置を更に備え、
前記ストッパ装置は、前記容器本体の前記端壁内に前記容器本体の外側からの操作が許容された状態で設けられ、前記インナ溝内に突出するストッパ位置と前記インナ溝から退避した休止位置との間にて前記容器本体の径方向に往復動可能なスライドストッパを含むことを特徴とするたばこ用容器。
【請求項２】
前記スライドストッパは、前記蓋が前記第２回転角位置にあるとき、休止位置からストッパ位置に移動され、これにより、前記蓋の突出部が前記インナ溝の終端と前記スライドストッパとの間に挟み込まれることを特徴とする請求項１に記載のたばこ用容器。
【請求項３】
前記ストッパ装置は、前記容器本体の前記端壁に設けられ、前記スライドストッパへのアクセスを可能にするアクセス開口と、前記アクセス開口を取り外し可能に覆うカバーとを更に含むことを特徴とする請求項２に記載のたばこ用容器。
【請求項４】
前記蓋が透明材料により形成されていることを特徴とする請求項３に記載のたばこ用容器。
【発明の詳細な説明】
【技術分野】
【０００１】
本発明は、たばこ製品が収容されるたばこ用容器に関する。
【背景技術】
【０００２】
たばこ製品には、スヌース、噛みたばこ、嗅ぎたばこ等の無煙たばこ製品がある。これら無煙たばこ製品は、たばこの葉を細かく裁断又は細かく粉砕した粉状のたばこ材料を含んでいる。使用者は、無煙たばこ製品を口腔内や鼻腔内にて用いる。無煙たばこ製品としては、たばこ材料に水や香味料等を添加した湿潤タイプのものが一般的である。そして、無煙たばこ製品は、たばこ材料のまま、又は、たばこ材料を小さな不織布の袋に０．４ｇ〜１．５ｇずつ詰め込んだパウチの形態（パウチ型）で提供されている。このような無煙たばこ製品を収容する容器には、その内容物（たばこ材料又はパウチ）が外へこぼれ出ないことや、無煙たばこ製品に含まれる水分の量を所定の範囲に保つこと等を考慮して密封性が要求される。【０００３】
ここで、無煙たばこ製品の容器の形態としては、例えば、特許文献１に示されるような扁平の円筒型容器が提案されている。
特許文献１の容器は樹脂製であり、それぞれカップ形状をなす容器本体及び蓋を備えている。この蓋は、容器本体の上に被せられており、容器本体を開閉することができる。より詳しくは、この容器は、容器本体の上部外周面及び蓋の内周面にそれぞれ凸部を有している。そして、蓋を開閉する場合、容器本体及び蓋の弾性変形を伴いながら、蓋の凸部が容器本体の凸部を乗り越えることにより、これら凸部同士の係合及びこの係合の解除がなされる。つまり、これら凸部同士が係合することにより蓋は閉じられ、この係合が解除されることにより蓋は開けられる。
【先行技術文献】
【特許文献】
【０００４】
【特許文献１】米国特許第4098421号明細書
【発明の開示】
【発明が解決しようとする課題】
【０００５】
ところで、特許文献１の容器の場合、容器本体及び蓋の凸部が互いに係合し、係合部を形成することにより容器は密封される。この容器の密封性をより高めるためには、係合部の係合力を高める必要がある。このように係合部の係合力を高めるためには、容器本体及び蓋を弾性変形させることが困難な材料で形成する必要がある。
しかしながら、この場合、使用者が蓋の開け閉めをする際に手間取ることがある。
一方、蓋の開け閉めを容易にするために、弾性変形させることが容易な材料を用いると、容器の密封性が損なわれる虞があり好ましくない。【０００６】
また、容器が開け易くなると、子供が簡単に容器を開けてしまうことになる。
更に、パウチタイプのスヌースについては、使用後のスヌースを廃棄する必要がある。しかし、ゴミ入れが近くに無い場合、使用済みのスヌースの廃棄処理に困ることにもなる。
本発明の目的は、容器の高い密封性を確保しながら蓋の開閉が簡単に行え、しかも、子供が誤って容器を開けることを防止することができ、更に、使用済みのたばこ製品の廃棄処理が簡単に行えるたばこ用容器を提供することにある。
【課題を解決するための手段】
【０００７】
上記目的を達成するために、本発明のたばこ用容器は、たばこ製品を収容するためのたばこ用容器であって、両端壁に円形の開口をそれぞれ有するとともに、内部を２つの収容室に区画する区画壁を有し、各収容室が対応する開口を通じて開かれている円筒形状の容器本体と、前記開口のそれぞれに取り外し可能に嵌合され、前記開口を閉塞する一方、前記容器本体の軸線回りに回転自在な２つの円形の蓋と、前記開口に前記蓋がそれぞれ嵌合された状態にあるとき、前記開口と前記蓋との間にそれぞれ介在して前記収容室を密封する２つの弾性シール部材と、前記容器本体に対して前記蓋が第１回転角位置にあるときには前記蓋の嵌合及び取り外しを許容し、前記蓋が前記第１回転角位置とは異なる第２回転角位置にあるときには前記蓋の取り外しを阻止する２つのロック装置とを備え、前記ロック装置は、前記蓋に設けられ、前記蓋の外周から突出する突出部と、前記容器本体に設けられ、前記突出部を案内するためのガイド溝とを含み、前記ガイド溝は、前記開口の周縁に形成され、前記第１回転角位置にある前記蓋の前記突出部を受け入れ可能なアウタ切欠と、前記開口の内周面に形成され、前記アウタ切欠から前記開口の周方向に延び且つ前記第１回転角位置と前記第２回転角位置との間にて前記蓋が回転されるとき前記突出部を案内するインナ溝とを有し、前記蓋はその外面に前記突出部を一体に有する取手を含み、前記容器本体は、前記開口の内周面に前記インナ溝よりも前記収容室側に位置し且つ前記開口内に向けて突出するインナフランジを有し、前記弾性シール部材は、前記蓋が前記開口に嵌合された状態にあるとき、前記蓋の内面と前記インナフランジとの間に挟み込まれるＯリングであり、前記蓋が前記第２回転角位置にあるとき、前記第２回転角位置から前記第１回転角位置への前記蓋の回転を阻止するためのストッパ装置を更に備え、前記ストッパ装置は、前記容器本体の前記端壁内に前記容器本体の外側からの操作が許容された状態で設けられ、前記インナ溝内に突出するストッパ位置と前記インナ溝から退避した休止位置との間にて前記容器本体の径方向に往復動可能なスライドストッパを含むことを特徴とするものである。
【０００８】
本発明のたばこ用容器によれば、蓋が容器本体の開口にて第１回転角位置及び第２回転角位置の間で回転自在に嵌合されており、前記蓋が第１回転角位置にあるときには前記蓋の嵌合及び取り外しが許容されているので、蓋の開閉動作が容易に行える。また、前記蓋が第２回転角位置にあるときには前記蓋の取り外しが阻止されるので、蓋が不用意に開くことが有効に防止される。更に、このたばこ用容器は、弾性シール部材を備えているので、収容室の密封性が保持される。しかも、このたばこ用容器は、収容室を２つ備えているので、例えば、一方に使用前の湿潤タイプの無煙たばこ製品を収容し、他方に使用済みの無煙たばこ製品を収容することができる。【０００９】
また、このたばこ用容器によれば、取手を操作することにより蓋を回転させることができ、第１回転角位置と第２回転角位置との間の切り替え動作が容易に行える。
【００１０】
また、このたばこ用容器によれば、インナフランジと、蓋の内面とが対向し、これらの間にＯリングが介在するので、簡易な構成で収容室内の密封性を保つことができる。
【００１１】
また、このたばこ用容器によれば、ストッパ装置により蓋が第２回転角位置から第１回転角位置へ回転することが阻止されるので、蓋が取り外し可能位置へ移動することを規制することができ、不用意に蓋が外されることを防止することができる。
【００１２】
また、このたばこ用容器によれば、スライドストッパをインナ溝内に突出させることにより、蓋の回転に伴いインナ溝内を移動する蓋の突出部の移動を規制し、蓋が第１回転角位置、即ち、蓋の取り外し可能位置へ到達できないようにする。このスライドストッパは、容器本体の外側から操作可能であるので、蓋のロックとロックの解除を簡単に行うことができる。
【００１３】
更に好ましくは、前記スライドストッパは、前記蓋が前記第２回転角位置にあるとき、休止位置からストッパ位置に移動され、これにより、前記蓋の突出部が前記インナ溝の終端と前記スライドストッパとの間に挟み込まれる。
このたばこ用容器によれば、蓋が前記第２回転角位置にあるとき、蓋の突出部がインナ溝の終端と、インナ溝内に突出したスライドストッパとの間に挟み込まれているので、前記突出部がインナ溝内で固定され、蓋が第１回転角位置、即ち、蓋の取り外し可能位置へ移動することを有効に、且つ、確実に規制することができる。【００１４】
更に好ましくは、前記ストッパ装置は、前記容器本体の前記端壁に設けられ、前記スライドストッパへのアクセスを可能にするアクセス開口と、前記アクセス開口を取り外し可能に覆うカバーとを更に含んでいる。
このたばこ用容器によれば、カバーによりスライドストッパの操作部分を見えなくすることができ、子供がいたずらして容器の蓋をあけてしまうことをより確実に防止することができる。【００１５】
更に好ましくは、前記蓋が透明材料により形成されている。
このたばこ用容器によれば、蓋が透明であるので、収容室の中身が視認でき、たばこ製品の取り出しが容易になる。また、使用前の製品を入れている収容室と使用済み製品を入れている収容室とを明確に見極めることができ、蓋を間違って開けてしまうことを防止することができる。
【発明の効果】
【００１６】
本発明のたばこ用容器は、密封性を保ちながら蓋の開閉が容易に行えるので、湿ったタイプの無煙たばこ製品の乾燥を防ぐことができるとともに、たばこ製品を容易に取り出すことができる。また、本発明の容器は、ロック装置を備えているので、不用意に蓋が開いてしまうことが防止される。特に、スライドストッパやスライドストッパへのアクセス開口を覆うカバーを備えているので、子供が容器の蓋を簡単に開けてしまうことを確実に防止することができる。更に、本発明の容器は、２つの収容室を有するので、そのうちの一方の収容室を使用済みスヌースを入れることに用いれば、使用済みスヌースを廃棄する場所を探す手間が省け、廃棄処理に困ることもない。
【図面の簡単な説明】
【００１７】
【図１】第１の実施形態のたばこ用容器を示した斜視図である。
【図２】図１のたばこ用容器の蓋を閉めた状態を示した平面図である。
【図３】図２中、III−III線に沿う断面図である。
【図４】図２中、IV−IV線に沿う断面図である。
【図５】第２の実施形態のたばこ用容器の蓋を閉めた状態を示した平面図である。
【図６】第３の実施形態のたばこ用容器を示した斜視図である。
【発明を実施するための形態】
【００１８】
（第１の実施形態）
図１を参照すると、第１の実施形態の容器２は、容器本体４と、この容器本体４の上端及び下端に取り付けられている２つの蓋６とを備えている。具体的には、容器２は、粉状のたばこ材料を不織布製の小さい袋に詰め込んだパウチ型のスヌース８０及び使用済みのスヌース８２を収容する容器である。
なお、この実施形態において、容器本体４及び蓋６は、不透明な合成樹脂材料で形成されている。
【００１９】
容器本体４は、扁平な円筒形状をなし、両端に開口１４を有している。スヌースは、容器本体４の開口１４を通して出し入れされる。開口１４のそれぞれは、蓋６の嵌め込みにより開閉可能である。
蓋６は、図１から明らかなように、円盤状の蓋本体８と、蓋本体８の外面１６上に設けられた取手１０とを備えている。
蓋本体８は、図２に示すように、開口１４の内径寸法と略同じ外径寸法を有し、開口１４に嵌め込み可能である。取手１０は、図１に示すように、矩形状の棒材からなり、その両端部１２は蓋本体８の径方向外側に突出している。
取手１０の両端部１２が、容器本体４の上端部及び下端部に設けられたガイド溝３４に係合することにより、蓋６は、容器本体４に取り付けられる。
【００２０】
以下、この蓋６を容器本体４に取り付けるための構造と、容器本体４の構成につき詳しく説明する。
容器本体４は、図１に示すように、その外周部を形成する円筒状の周壁１８を備えている。この容器本体４の内部には、図３から明らかなように、周壁１８の軸線に直交するように区画壁２０が設けられている。この区画壁２０は容器本体４の内部を２室に仕切っている。また、容器本体４は、上端及び下端の開口１４の部分に、周壁１８の内周面から容器本体４内に突出し且つ内周面に沿って延びる円環状の端縁２２を有している。
つまり、容器本体４の内部は、区画壁２０、周壁１８及び端縁２２により囲まれ、蓋６により開閉可能な上側及び下側の２つの収容室２４，２６に形成されている。
【００２１】
ここで、端縁２２は、上側と下側で対称であるものの、同一の構成を有しているので、以下には一方の側の端縁２２に着目して、その詳細を説明する。
端縁２２の内周面は、図３から明らかなように、段付きの断面形状を有している。詳しくは、この端縁２２は、開口１４の開口面２８側に位置付けられたベース端壁３０と、収容室２４側に位置付けられ、ベース端壁３０の内径よりも小径のインナフランジ３２とを備えている。
【００２２】
ベース端壁３０には、図１に示すように、径方向でみて互いに対向する位置に前述した一対のガイド溝３４が設けられている。これらガイド溝３４は、開口１４に嵌め込まれた蓋６の取手１０の両端部１２を受け入れて案内する働きをする。なお、これらガイド溝３４は容器本体４の軸線を中心として互いに対称な形状をなしているので、以下には、一方の側のガイド溝３４の形状について説明する。
【００２３】
ガイド溝３４は、ベース端壁３０の外端面３６に設けられたアウタ切欠３８と、ベース端壁３０の内周面に設けられたインナ溝４０とからなる。
詳しくは、アウタ切欠３８は、ベース端壁３０の外端面３６及び内周面４２の双方にて開口し、内周面４２から容器本体４の径方向外側へ向かって延びている。即ち、アウタ切欠３８は、前記した蓋６の取手１０の端部１２を受け入れ可能な幅寸法と長さ寸法を有している（図２参照）。
【００２４】
インナ溝４０は、図１に示すように、アウタ切欠３８と連通しており、アウタ切欠３８に連通する部分を基端５４として、この基端５４からベース端壁３０の内周面４２に沿って延びている。より詳しくは、インナ溝４０は、図２から明らかなように、円弧状をなしており、その溝深さは、前記したアウタ切欠３８の径方向長さと同じであり、容器本体４の軸線方向に沿う溝幅は、蓋６の取手１０の高さ寸法と同じである。
蓋６はその取手１０の端部１２が対応するガイド溝３４に受け入れられることで開口１４に取り付けられる。そして、この状態で、取手１０を介して取手１０の端部１２をガイド溝３４に沿って移動させることにより、蓋６を容器本体４に対して、その周方向の回転操作又は軸線方向の嵌合及び取り外し操作をすることが可能となっている。
【００２５】
詳しくは、まず、アウタ切欠３８の部分に取手１０の端部１２が位置付けられているとき、取手１０は、容器本体４の軸線に沿う方向への動きが規制されず、容器本体４の軸線に沿う方向に移動可能である。よって、容器本体４の開口１４に対して、蓋６を嵌め込むこと及び取り外すことが可能となる。ここで、取手１０の端部１２が、容器本体４の軸線方向内側に位置するインナ溝４０の内側壁部分に位置したとき、蓋本体８の内面４４が、インナフランジ３２に当接する。そして、この状態で、取手１０の端部１２をインナ溝４０に沿って移動させると、これにともない、蓋本体８は容器本体４の周方向に回転する。取手１０の端部１２がインナ溝４０内にある場合、取手１０は、容器本体４の軸線方向の動きを規制するので、蓋本体８は、インナフランジ３２との当接状態を維持する。
【００２６】
ここで、インナフランジ３２は、図３に示すように、蓋本体８と対向する外面４６にインナフランジ３２と同軸の円環溝４８を有している。そして、この円環溝４８内には、Ｏリング５０が配設されている。よって、取手１０の端部１２がインナ溝４０内にある場合、蓋本体８の内面４４はインナフランジ３２のＯリング５０に密着している。このため、Ｏリング５０は蓋本体８とインナフランジ３２との間、即ち、収容室２４の密封性を保つ。
【００２７】
更に、ベース端壁３０には、図２から明らかなようにスライドストッパ５６が設けられている。このスライドストッパ５６は、取手１０の端部１２がインナ溝４０の終端５２に位置付けられた際、インナ溝４０の基端５４側への取手１０の端部１２の移動を規制することができる。このため、蓋本体８は、回転が規制される。このスライドストッパ５６は、使用者が意図しないのに取手１０の両端部１２をアウタ切欠３８に向けて移動させてしまい、蓋６が取り外せる状態になることを防止するために設けられている。
【００２８】
スライドストッパ５６は、図２に示すように、ベース端壁３０の外端面３６に設けられたガイド穴５８と、ガイド穴５８に配置されたスライダ６０とを備えている。スライダ６０は、ガイド穴５８に案内されて、インナ溝４０内に対して前進及び後退が可能となっている。
ガイド穴５８は、図２から明らかなように、スライダ６０がインナ溝４０内に突出した状態にあるとき、インナ溝４０の終端５２に接した状態にある取手１０の端部１２をスライダ６０と終端５２との間にて挟み付け、アウタ切欠３８側への取手１０の端部１２の移動を規制する位置に設けられている。より詳しくは、図４に示すように、ガイド穴５８は、ベース端壁３０の外端面３６に容器本体４の径方向に延びる矩形のアクセス開口６２を有している。そして、ガイド穴５８は、このアクセス開口６２から容器本体４の軸線方向に沿ってインナ溝４０の内側壁部分と同じ深さまで延びている。そして、このガイド穴５８はその内端部に、インナ溝４０と連通する矩形の内開口６４を有する。
【００２９】
スライダ６０は、横断面形状が内開口６４と同形状であり、インナ溝４０内への突出可能な先端部６６と、ガイド穴５８内に位置付けられる基端部６８とを有している。スライダ６０の幅寸法は、ガイド穴５８の幅寸法と同じであり、先端部６６から基端部６８にかけて一定である。また、スライダ６０の厚さ方向の寸法は、図４から明らかなように、基端部６８の方が先端部６６よりも厚みがある。つまり、先端部６６と基端部６８との境界には段差７０が生じている。更に、基端部６８の上面には、突起７２が設けられている。
【００３０】
使用者は、アクセス開口６２を通してスライダ６０の突起７２を操作することにより、スライダ６０の先端部６６をインナ溝４０内に対して突出及び没入させることができる。より詳しくは、図４中において、スライダ６０を矢印Ｃ方向に移動させると、先端部６６は、内開口６４を通してインナ溝４０内に突出し、蓋６の取手１０の移動を規制することができる。このとき、スライダ６０は、基端部６８の段差７０がガイド穴５８の内端壁に当接し、それ以上移動が阻止され、インナ溝４０内への先端部６６の突出長さを規制することができる。逆に、スライダ６０を矢印Ｄ方向に移動させると、先端部６６は、インナ溝４０に対して没入し、蓋６の取手１０は、インナ溝４０に沿って自由に移動できるようになる。つまり、取手１０を回転させて取手１０の両端部１２をアウタ切欠３８まで移動させ、蓋６を取り外すことができる。
【００３１】
ここで、スライドストッパ５６のアクセス開口６２には、アクセス開口６２と合致する矩形のカバー７４が更に取り付けられる。このカバー７４は取り外し可能で、スライダ６０の突起７２が外部から見えないように隠すものであり、子供がスライダ６０を操作できないようにする働きをする。これにより、子供がいたずらして蓋６を開けてしまうこともない。
【００３２】
次に、以上のような容器２の使用方法について以下に説明する。
本実施形態の容器２は、図３からも明らかなように、２つの収容室２４，２６を有しているので、収容室２４には、使用前のスヌース８０を収容し、収容室２６には、使用済みのスヌース８２を収容する使い方ができる。
まず、容器２の収容室２４には、複数の使用前スヌース８０が入れられ、蓋６が閉められている。そして、蓋６の取手１０は、図２に示すように、その端部１２がスライドストッパ５６によりロックされた状態にある。このとき、アクセス開口６２には、カバー７４(図示せず)が嵌められている。
【００３３】
このような状態から、使用者は、まず、カバー７４をアクセス開口６２から外し、スライダ６０の基端部６８を露出させる。そして、アクセス開口６２の内部に位置するスライダ６０の突起７２を操作してスライダ６０を容器本体４の径方向外側へスライドさせる。これにより、スライドストッパ５６のロックは解除されるので、蓋６の回動が可能になる。ここで、使用者は、図２中矢印Ａ方向へ蓋６を回転させ、取手１０の両端部１２をアウタ切欠３８まで移動させる。これにより、蓋６は、容器本体４から取り外すことができるので、使用者は、取手１０を撮んで、蓋６を開け、収容室２４を露出させる。これにより、蓋６を開く操作が終了し、使用者は、収容室２４内からスヌース８０を取り出して使用することができる。
【００３４】
この後、使用者は、蓋６を閉める操作を行う。即ち、まず、取手１０の両端部１２をアウタ切欠３８に合致させ、アウタ切欠３８を通じてインナ溝４０の内側壁部分まで押し込む。これにより、蓋本体８の内面４４とインナフランジ３２の外面４６とがＯリング５０を介して密着する。この状態から更に、取手１０を撮んで、図２中矢印Ｂ方向に蓋本体８を回動させ、取手１０の両端部１２をインナ溝４０の終端５２まで移動させる。このとき、蓋６は、取手１０の両端部１２とインナ溝４０との係合により容器本体４の軸線方向への動きが規制されている。そして、蓋本体８とインナフランジ３２との間のシールがＯリング５０によって確保されているので、収容室２４内の密封性は保たれ、残りのスヌース８０の乾燥を防ぐことができる。
【００３５】
更に、取手１０の端部１２をインナ溝４０の終端５２でロックするために、スライダ６０の先端部６６をインナ溝４０内に突出させる。つまり、スライダ６０をアクセス開口６２を通じ、その突起７２を介して容器本体４の径方向内側に向かってスライドさせる。これにより、取手１０の端部１２はインナ溝４０の終端５２とスライダ６０の先端部６６との間に挟み込まれてロックされる。この結果、蓋６の回転は阻止され、不用意に蓋６が開くことはない。
最後にアクセス開口６２にカバー７４を嵌め込むことにより、蓋６を閉める操作が終了する。
【００３６】
なお、使用者は、使用済みのスヌースを収容室２６に一時的に収容することもできる。この際には、使用者は、容器２を裏返して収容室２６側を上にし、上述の場合と同様に、収容室２６側の蓋６を開ける操作を行って、蓋６を開け、収容室２６内に使用済みスヌース８２を入れ、その後、同じようにして蓋６を閉める操作を行う。この後、使用者は収容室２６内の使用済みスヌース８２を適切な場所にて廃棄処理することができる。
【００３７】
本発明は、上述した第１の実施形態に制約されるものではなく、種々の変形が可能である。例えば、本実施形態では、容器本体４及び蓋６は、不透明な合成樹脂材料で形成されているが、金属材料で形成されていてもよいし、また、容器本体４及び蓋６の一方を合成樹脂材料で形成し、その他方を金属材料で形成してもよい。また、収容室２４，２６に例えば、種類の違うスヌースを別々に収容したり、あるいは、一方の収容室を小物入れ等に使用したりしても構わない。また、本発明の容器は、スヌースの収容に限定されるものではなく、噛みたばこや嗅ぎたばこなどの他の無煙たばこ製品の収容に用いることができることは勿論のこと、パイプたばこ製品、あるいは、ニコチンタブレット、ニコチンガム、ニコチンパッチ等のたばこ関連製品の収容にも用いることができる。
【００３８】
（第２の実施形態）
図５は、第２の実施態様の容器２を示し、この容器２は蓋６が無色透明な合成樹脂材料で形成されていることを除いて、第１の実施形態の容器２と同様である。
このように、蓋６を無色透明な合成樹脂材料で形成すると、図５に示すように、蓋６を開けなくても中身を視認できるので、スヌース８０の取り出しが容易になるとともに、使用者が使用済みスヌース８２を収容した収容室２６側の蓋６を誤って開けることも防止できる。
【００３９】
なお、本実施形態においては、蓋６は、無色透明な合成樹脂材料により形成したが、本発明は、この態様に限定されるものではなく、中身を視認できる透明な材料であれば、有色であっても構わないし、半透明であってもよい。
【００４０】
（第３の実施形態）
図６は、第３の実施形態の容器２を示し、この容器２は上部の外端面３６に模様８３が付されていることを除いて、第１の実施形態の容器２と同様である。この模様８３は、三角形状の図柄８４が容器２の周方向に等間隔で６個配置されてなり、容器２における上部の外端面３６にのみ付されている。
このように、容器２において、上部の外端面３６に目印となる模様８３が付されていると、容器２の上側を簡単に識別することができる。
【００４１】
本発明の容器２は、上側と下側に収容室２４，２６をそれぞれ備えているので、どちらか一方側に模様８３が付されていれば、これらの収容室２４，２６を簡単に区別することができる。つまり、未使用スヌース８０の収容室と、使用済みスヌース８２の収容室との区別が簡単に行える。
【００４２】
ここで、上側と下側の収容室２４，２６を区別する目印としては、どのような形状の模様であっても構わない。また、文字を用いてもよい。更に、模様の他、容器２の表面を加工して目印となる凹部、又は、凸部を設けてもよい。ここで、容器２の表面加工としては、容器表面に微細な凹凸を多数設けるマット加工や、容器表面を鏡面状に仕上げる鏡面加工等を採用することもできる。この場合、マット加工した部分は艶消し状態となり、鏡面加工した部分は艶有り状態となるので、これら加工が施された部分は、視覚的に他の部分と区別がつくことは勿論のこと、手触りでの感覚でも容易に区別をつけることができる。
【００４３】
なお、容器２において、これらの目印を設ける位置としては、特に限定されるものではなく、容器の上部と下部が識別できるのであれば、容器２の上部、下部及び側部のいずれか、又は、これら全部の任意の位置に目印を設けて構わない。
【符号の説明】
【００４４】
２            たばこ用容器
４            容器本体
６            蓋
８            蓋本体
１０          取手
１２          端部
１４          開口
１８          周壁
２０          区画壁
２２          端縁
２４，２６    収容室
３４          ガイド溝
５０          Ｏリング
５６          スライドストッパ
７４          カバー
８０          使用前スヌース
８２          使用済みスヌース
８３          模様
８４          図柄
【図１】
0005424432.tif 000002
【図２】
0005424432.tif 000003
【図３】
0005424432.tif 000004
【図４】
0005424432.tif 000005
【図５】
0005424432.tif 000006
【図６】
0005424432.tif 000007